(57)【特許請求の範囲】
【請求項１】
扉や引出しなどの複数の部材でなる対象物が開き動作する該対象物を閉止するための開き防止具において、
前記複数の部材の一方に固定可能な第１の固定板と、前記複数の部材の他方に固定可能な第２の固定板と、これら第１の固定板と第２の固定板とをつなぐ可撓性を有するベルト部材とを備えており、
該ベルト部材の一端部には、前記第１の固定板が取付けられるようにされ、
前記第２の固定板には、前記ベルト部材の他端部に取り付けたベルト側係合手段と係合される固定側係合手段と、該固定側係合手段の係合を解除するための解除操作部とが設けられていて、
さらに、前記第１の固定板に設けられ、前記ベルト部材の他端部のベルト側係合手段の他端部を仮固定するための固定側仮固定手段と、
前記ベルト部材の他端部の前記ベルト側係合手段に設けられ、前記固定側仮固定手段と仮固定されるためのベルト側仮固定手段と
を備え、
前記解除操作部により、前記ベルト側係合手段と前記固定側係合手段との係合が解除された状態で、前記ベルト部材を屈曲もしくは湾曲させて、前記固定側仮固定手段と、前記ベルト側仮固定手段とにより仮固定する構成とした
ことを特徴とする開き防止具。
【請求項２】
前記ベルト部材の一端側には、前記第１の固定板が固定されるベルト側固定手段が設けられており、しかも前記ベルト側固定手段は、前記第１の固定板との固定位置を前記ベルト部材の長さ方向に沿って相対的に変更可能とされており、前記第１の固定板をベルト固定板とし、該ベルト固定板には、前記ベルト部材に対して前記ベルト固定板の前記固定位置を相対的に変更して固定するための手段として、固定板側固定手段が形成されていることを特徴とする請求項１に記載の開き防止具。
【請求項３】
前記ベルト側仮固定手段には、凸部および／または凹部が形成され、前記固定側仮固定手段には、前記ベルト側仮固定手段の前記凸部および／または凹部に対応する凹部および／または凸部が形成されることにより、前記ベルト側仮固定手段および前記固定側仮固定手段のうちの一方の凸部と、他方の凹部とで仮固定する構成としたことを特徴とする請求項１に記載の開き防止具。
【請求項４】
前記ベルト側固定手段は前記ベルト部材の長さ方向に沿って複数個形成されており、前記固定板側固定手段が、前記複数個のベルト側固定手段に選択的に固定されることを特徴とする請求項２に記載の開き防止具。
【発明の詳細な説明】
【技術分野】
【０００１】
この発明は、開き戸や引出しに適用して開かないようにし、乳幼児などが容易に閉止解除することができないようにした開き防止具の改良に関するものである。
【背景技術】
【０００２】
例えば、冷蔵庫や家具、箱等の両開き戸（扉）、片開き戸（扉）や、引出しなどを乳幼児が開けて、中の物を取り出して危険な事態を招いたり、いたずらや、室内の汚損等につながることを防止するために、これらが開くことを簡易に防止する開き防止具（「マルチロック」など種々の名称あり）が広く使用されている。
【０００３】
例えば、本出願人が提案した開き止め具では、変形可能なベルトの一方の端部が、冷蔵庫の側面に固定され、他方の端部が冷蔵庫の扉の前面に固定されることで、冷蔵庫の扉を乳幼児が開くことができないようにするものである（特許文献１、第１図参照）。
また、「扉の開放防止具」という他の例では、ベルトの両端の各固定手段について、扉などに固定された箇所と着脱できるようにしたもので、どちらからでも着脱可能にしたものである（特許文献２参照）。
【０００４】
【特許文献１】実新案登録第２５３１７０４号
【特許文献２】実新案登録第３０５６９８３号
【発明の開示】
【発明が解決しようとする課題】
【０００５】
ところが、特許文献１、２などの従来のベルト式開き防止具は、扉や家具もしくは冷蔵庫などの側面に固定した箇所の一方または両方の固定手段を着脱できる。扉などの閉止状態から例えば、冷蔵庫を使用する場合には、例えば扉に対する前記固定手段を外して、該扉を動くようにするものであるが、該扉に対する固定手段を外したことにより、自由端となったベルトの先端に、扉から外した前記固定手段が付いた状態で、開けようとする扉の進路に垂れ下がったりして、扉の開閉の邪魔になり、一方の手でベルトを押さえながら扉を開閉する必要がある等、頻繁に開閉する際を中心に使い勝手が悪いという問題があった。
【０００６】
この発明は、上述の課題を解決するためになされたもので、開こうとする扉や引出しへの固定手段を外した際に、該固定手段が開閉動作の邪魔にならないようにすることができる開き防止具を提供することを目的とする。
【課題を解決するための手段】
【０００７】
本発明は、扉や引出しなどの複数の部材でなる対象物が開き動作する該対象物を閉止するための開き防止具において、前記複数の部材の一方に固定可能な第１の固定板と、前記複数の部材の他方に固定可能な第２の固定板と、これら第１の固定板と第２の固定板とをつなぐ可撓性を有するベルト部材とを備えており、該ベルト部材の一端部には、前記第１の固定板が取付けられるようにされ、前記第２の固定板には、前記ベルト部材の他端部に取り付けたベルト側係合手段と係合される固定側係合手段と、該固定側係合手段の係合を解除するための解除操作部とが設けられていて、さらに、前記第１の固定板に設けられ、前記ベルト部材の他端部のベルト側係合手段の他端部を仮固定するための固定側仮固定手段と、前記ベルト部材の他端部の前記ベルト側係合手段に設けられ、前記固定側仮固定手段と仮固定されるためのベルト側仮固定手段とを備え、前記解除操作部により、前記ベルト側係合手段と前記固定側係合手段との係合が解除された状態で、前記ベルト部材を屈曲もしくは湾曲させて、前記固定側仮固定手段と、前記ベルト側仮固定手段とにより仮固定する構成としたことを特徴とする。
【０００８】
上記構成によれば、例えば冷蔵庫に本発明の開き防止具を用いる場合には、第１の固定板を例えば冷蔵庫の側面、即ち装着対象物の本体側に固定し、第２の固定板を冷蔵庫の扉前面、即ち装着対象物の移動する戸や扉、引出し側に固定して、ベルト側係合手段と固定側係合手段を係合すれば、第１の固定板と、第２の固定板の間にベルト部材が設けられているので、扉を開くことができず、例えば長時間使用しない際等における幼児による冷蔵庫の開き操作を防止することができる。
そして、前記解除操作部により、ベルト側係合手段と固定側係合手段との係合を解除すると、ベルト部材の他端側に設けられたベルト側係合手段は、第２の固定板から外れた自由に変位可能な状態となる。この状態においては、可撓性を持つベルト部材を屈曲もしくは湾曲させて冷蔵庫の側面に固定された固定側仮固定手段と、前記ベルト側仮固定手段とにより仮固定することができる。
これにより、従来のように、自由端となったベルト部材の先端に、扉等から外したベルト側係合手段が、例えば、閉じようとする扉の進路に垂れ下がったりして、扉の開閉の邪魔になるということがなく、特に料理中の冷蔵庫の扉等、頻繁に扉を開閉する際の扉の開閉などがし易くなり、使用者が係止状態を選択的に使用した際の使い勝手が向上する。
【０００９】
好ましくは、前記ベルト部材の一端側には、前記第１の固定板が固定されるベルト側固定手段が設けられており、しかも前記ベルト側固定手段は、前記第１の固定板との固定位置を前記ベルト部材の長さ方向に沿って相対的に変更可能とされており、前記第１の固定板をベルト固定板とし、該ベルト固定板には、前記ベルト部材に対して前記ベルト固定板を固定する固定するための手段として、固定板側固定手段が形成されていることを特徴とする。
【００１１】
好ましくは、前記ベルト側仮固定手段には、凸部および／または凹部が形成され、前記固定側仮固定手段には、前記ベルト側仮固定手段の前記凸部および／または凹部に対応する凹部／または凸部が形成されることにより、前記ベルト側仮固定手段および前記固定側仮固定手段のうちの一方の凸部と、他方の凹部とで仮固定する構成としたことを特徴とする。
上記構成によれば、凸部と凹部を用いることで、例えば頻繁に扉を開閉する際等における片手での前記仮固定の作業が容易となる。
【００１４】
好ましくは、前記ベルト側固定手段は前記ベルト部材の長さ方向に沿って複数個形成されており、前記固定板側固定手段が、前記複数個のベルト側固定手段に選択的に固定されることを特徴とする。
上記構成によれば、前記複数個のベルト側固定手段を選択して固定することで、ベルト部材により第１の固定板と第２の固定板との間に設けられる距離を調整することができ、装着対象となる家具や扉等に応じた位置に装着して使用できる。
【発明を実施するための最良の形態】
【００１７】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明の第１の実施形態に係る開き防止具の概略斜視図、図２は図１のＡ−Ａ概略断面図、図３は開き防止具の概略分解斜視図である。
これらの図に示されているように、開き防止具１０は、例えば、図示しない冷蔵庫等の片開き戸や、キャビネットなどの両開き扉、家具の引き出し、救急箱等のヒンジ式の箱等に好適に使用できるものであって、図示しない冷蔵庫等の本体側側壁面や両開き扉の一方の壁面に固定される固定板本体１２を備える第１の固定部材１１と、冷蔵庫等の扉や両開き扉の他方の扉に固定可能な固定板本体３１を備える第２の固定板３０とを有している。
【００１９】
各固定板は、ベルト部材２１の一端部と他端部に固定されている。
すなわち、第１の固定板１１と第２の固定板３０とはベルト部材２１によって連結されており、該ベルト部材２１は、所定の長さで帯状に延びた可撓性のある長尺部材であり、例えば、第１の固定板１１を冷蔵庫の側面に固定した際に、第２の固定板３０が冷蔵庫扉の前面に回り込むのに十分な長さを有するようにされている。
【００２０】
ベルト部材２１のベルト本体２５にあっては、ベルト部材２１の一端側は僅かに幅広くされており、ベルト側固定手段２２が設けられている。この実施形態では、ベルト側固定手段２２は軟質のベルト部材の本体２５に対して長さ方向に沿って等間隔に配置された複数もしくは多数の貫通孔２２ａ，２２ｂ，２２ｃ，２２ｄでなっている。
ここで、ベルト部材のベルト本体２５は、例えばＳＢＳ樹脂等のエラストマーやシリコーン、ＥＶＡ樹脂、ポリエチレン等の可撓性を有する弾性材料により形成されており、ＪＩＳ−Ｋ６２３５（ＩＳＯ７６１９）におけるＡ型デュロメータによる硬度で、７０度程度のものであり、扉等を操作されても伸びて開いてしまう恐れがないだけでなく、繰り返し屈曲・湾曲されても、折り癖がついたり、曲がった状態から復帰できなくなったりすることが少なく、破断しにくいものである。
【００２１】
第１の固定板１１は、ベルト部材２１の一端側を固定する「ベルト固定板」とも言い、例えば図３に示すように略円形であり、ベルト部材２１のベルト側固定手段２２を間に挟んで、ともに略円形の固定板本体１２と、カバー部材１４とを備えている。
カバー部材１４の表面側には外方に突出する固定側支持・被支持手段１３が形成されている。この固定側支持・被支持手段１３は、この場合、例えば、僅かに長い長円状のプレートとされて、ベルト部材２１の延伸方向とは反対側に突出した凸部とされている。
固定板本体１２と、後述する固定板本体３１の裏面側には装着対象物への装着手段１２ａ，３１ａが形成されており、ここでは接着層によって接着する構成としているが、吸盤や面ファスナ等の繰り返し装着可能な装着手段によって取付ける構成としてもよい。
固定板本体１２の中心には低い円筒状のボスないし軸部１５が設けられており、この軸部１５をベルト側固定手段２２のいずれかの貫通孔に挿通して、反対側からカバー部材１４の円筒状の軸部１４ａ内に嵌入させる。これにより、図１のように、ベルト部材の一端部に固定板本体１２を固定でき、さらには、固定側支持・被支持手段１３が固定される。
また、このような構成とすることで、固定板側固定手段である軸部１５の周囲でベルト側固定手段２２が回動可能に固定されて、ベルト本体２５がベルト固定板１１に対して回転することができる。
また、固定板本体１２の軸部１５による固定を、固定側支持手段１３を把持してカバー部材１４を外し、挿入する位置を貫通孔２２ａないし２２ｄから選択して変更することにより、ベルト固定板１１と係合固定板３０との間に設けられる距離を調整することができる。
【００２２】
ベルト部材２１の他端側は、幅の狭いネック部となっており、さらにその先端側には、バックル状のベルト側係合手段２７が固定されている。
該ベルト側係合手段２７の先端には、互いに内向きに爪部２８，２８を設けた一対の係合受容部が形成されており、爪部２８の背面には目隠し２８ａが形成されている。
さらに、ベルト側係合手段の基部には、ベルト部材２１に対向して、ベルト側支持・被支持手段２９が形成されている。この場合、ベルト側支持・被支持手段２９は、図２に示すようなスリット状の凹部でなる支持手段とされて、後述するように利用される。
【００２３】
第２の固定板３０は、「係合固定板」とも言い、裏面に装着手段３１ａが設けられた固定板本体３１と、この固定板本体３１に被せるようにして固定されるカバー３２を有しており、固体板本体３１とカバー３２とにより形成される内部空間には、係合解除部材３４が変形可能に収容されている。
係合解除部材３４は、ベルト側係合手段２７の係合受容部に対する係合・解除機能を実現するための部品であり、先端に外向きの爪部を備え、ベルト部材２１側に向けて延びて可撓性を有する上下一対の脚片で形成された固定係合手段３５，３５と、各脚片３５，３５の途中からそれぞれ離間する方向となるよう上と下に延出された舌片状の（解除）操作部３６，３６を備えている。各脚片３５，３５の基部はＶ字状に一体となってバネ作用を発揮し、操作部３６，３６は互いに離間する方向に付勢されている。
【００２４】
係合解除部材３４は図１に示すようにカバー３２と固定板本体３１との内部空間に収容される。この状態ではカバー３２の図示しないベルト部材２１側の開口に固定係合手段３５，３５が連通されており、これが、開口から挿入されたベルト側係合手段２７の係合受容部に受容されて係合されている。つまり、ベルト側係合手段２７を係合解除部材３４に押し付けることにより、固定係合手段３５，３５である図３で説明した各脚片３５，３５が内方に変形されて、図３で説明したベルト側係合手段２７の内向きに爪部２８，２８間に受容される。そして、互いに爪部の段部を当接させることで、係合され、図１のようにセットされる。
なお、カバー３２の上下の開口３８ａ，３８ａから露出した操作部３６，３６を上下から摘んで内方に撓めると、各脚片３５，３５の爪部とベルト側係合手段２７の内向き爪部２８，２８との係合が外れるようになっている。
なお、ベルト側係合手段２７と固定側係合手段３５の各爪部の方向は逆に形成されていてもよく、また、各係合手段２７，３５は所謂バックルと言われる係合を採用しているが、この他のホックやスナップボタン、面ファスナ等の各種係合手段を採用してもよい。
【００２５】
また、固定板本体１２，カバー部材１４および固定側支持・被支持手段１３、ベルト側係合手段２７、固定板本体３１、カバー部材３２および係合解除部材３４は、硬質の合成樹脂、例えば、ＡＢＳ樹脂、ＡＳ樹脂、ポリプロピレン、ポリスチレン、ポリメタクリル酸メチル等による合成樹脂製成形品で形成されている。なお、硬質材料で形成されたベルト固定板１１やベルト側係合手段２７に対して、軟質部材で形成されたベルト部材２１を二色成形等の一体成形にて一体に形成してもよい。
また、好ましくは、固定側支持・被支持手段１３の表面と、カバー３２の表面の少なくとも一方には、それぞれ弾性部１３ａ，３３を形成する。これはエラストマーなどをカバー３２等の表面に二色成形等によって一体成形したり、接着することによりこれら表面を被覆するもので、乳幼児などがぶつかった際に怪我をしたり、痛みなどの不快な刺激を与えるのを防止すると共に、破損を防ぐためである。
【００２６】
本実施形態は以上のように構成されており、例えば冷蔵庫に本実施形態の開き防止具１０を用いる場合には、ベルト部材２１の長さに対応させながら固定板本体１２を例えば冷蔵庫の側面に装着手段１２ａによって固定し、固定板本体３１を冷蔵庫の扉前面に装着手段３１ａによって固定する。これにより、第１の固定板１１に固定されたベルト部材２１が、第２の固定板３０に係合されているので、扉を開くことができず、冷蔵庫の開き防止することができる。
この際、操作部３６，３６を上下から摘んで変形させないとベルト部材２１に固定されているベルト側係合手段２７と第２の固定板３０との係合は外れないので、乳幼児が係合を解除して、当該冷蔵庫を開くことはできない。
【００２７】
次いで、保護者などが、頻繁に開閉する際等は、（解除）操作部３６，３６により、ベルト側係合手段２７と固定側係合手段３５との係合を解除すると、ベルト部材２１の他端のベルト側係合手段２７は、第２の固定板３０から外れた状態となる。この状態においては、可撓性を持つベルト部材２１を屈曲もしくは湾曲させて固定側支持・被支持手段１３を、ベルト側支持・被支持手段２９に挿入させて仮固定することができる。
【００２８】
この状態が図４に示されている。
図示されているように、開き防止具１０から第２の固定板３０（図３参照）を除いた長い構成のものがベルト部材２１の部分で反転するよう折り畳まれて、図３で示したベルト側支持部２９としての凹部に、固定側被支持部１３としての長円状の薄板の先端が差し込まれ、仮固定されており、この時爪部２８，２８は目隠し２８ａによって覆われている。
これにより、従来のように、自由端となったベルト部材の先端に、扉等から外したベルト側係合手段が、閉じようとする扉の進路に垂れ下がったりして、扉の開閉の邪魔になるということがなく、扉の開閉などがし易くなり、使い勝手が向上する。
なお、ベルト側支持部２９は、支持部ではなく、「被支持部」として、挿入される薄板や突起、凸部などで構成してもよいし、この場合、固定側被支持部１３は被支持部ではなく、挿入されるものを支持するための凹部などでなる「支持部」としてもよいことは勿論である。
【００２９】
また、上述のように仮固定しなくても、以下のような使用が可能である。
すなわち、図３で説明したように、固定板側固定手段である軸部１５の周囲でベルト側固定手段２２が回動可能に固定されている。このため、ベルト側係合手段２７と固定側係合手段３５との係合を解除すると、ベルト部材２１は先端にベルト側係合手段２７が付いた状態で、これを下にして垂れ下がるので、開閉すべき扉の進路を邪魔することがない。これにより、開こうとする扉や引出しへの固定手段の一部であるベルト側係合手段２７を外した際に、開閉動作の邪魔にならないようにすることができる。
つまり、例えば料理中等で非常に頻繁に扉を開閉することが想定される際には、使用者は各支持部・被支持部１３，２９による支持を行い、急に解除状態を維持したい場合には、ベルト部材２１を回動させて繰り返して開閉を行い易い状態とすることが選択できる。
【００３０】
図５および図６は開き防止具の第２の実施形態を示しており、図５はその概略斜視図、図６はその概略分解斜視図である。
これらの図において、第１の実施形態と共通する構成には同一の符合を付して重複する説明は省略し、以下、相違点を中心に説明する。
【００３１】
図示されているように、ベルト側固定手段は、この実施形態ではベルト部材２１の延びる方向に長い長孔２２−１とされている。
これにより、ベルト固定板１１−１と係合固定板３０−１との間に設けられる距離を無断階に調整して、固定板本体１２とカバー部材１４で挟み込んで固定することができる。
【００３２】
また、係合固定板３０−１の構成が異なっている。すなわち、図６に示されているように、係合解除部材３４−１は、一対の固定側係合手段３５，３５の間に、ベルト部材２１の長さ方向に沿って長いスリット３９が形成されており、固定板本体３１−１の内面に形成されたボス３１ｂが挿入されるようになっている。すなわち、係合解除部材３４−１はカバー３２−１と固定板本体３１−１の間に収容されて、相対的に矢印Ａ方向に移動できるようになっている。
【００３３】
また、カバー３２−１の表面側には、長孔３８が形成されており、その中に係合解除部材３４−１の固定側係合手段３５の反対側の端部に形成した係合操作突起３７が挿入されて外部に突出するようになっている。
これにより、係合解除部材３４−１を、ベルト側係合手段２７に当接させ、図５に示されているように、長孔３８から露出した係合操作突起３７を使用者がベルト側係合手段２７に近接する方向であるＡ１方向に移動させると、固定係合手段３５，３５である図６の各脚片３５，３５が内方に変形されて、ベルト側係合手段２７の内向きの爪部２８，２８間に受容される。そして、互いに爪部の段部を当接させることで、係合される。
そして、係合を解除する際には操作部３６を変形させながらベルト側係合手段２７から離間する方向であるＡ２方向に移動させると、固定係合手段３５がベルト側係合手段２７の爪部２８，２８間に受容されて係合される。
このように、係合を行う際にはベルト側係合手段２７ではなく、係合操作突起３７を操作すればよく係合し易いだけでなく、頻繁に開閉を行う際等に、係合固定板３０−１側でも係合を解除した状態を維持できる。
【００３４】
また、図６に示されているように、カバー部材１４からは固定側被支持手段として、凸部であるボス１３−１が突出している。
これに対して、ベルト側固定手段２７には、ベルト側支持手段として、凹部である孔２９−１が形成されており、ボス１３−１を孔１９−１に挿入することで、図４で説明した様に仮固定できるようになっている。
第２の実施形態は以上のように構成されており、第１の実施形態と同様の作用効果を発揮できるものである。
【００３５】
本発明は、上述の実施形態の記載に限定されない。例えば、ベルト固定板１１側も係合固定板１２側と同じ構造として、両側に各係合手段２７，３５や操作部３６が設けられた構成としてもよく、この場合は各支持手段１３，２９を一方または両方に設けることで、支持手段による仮固定が有効に機能することとなる。また、ベルト部材２１は弾性材ではなく、硬質材で形成し反転可能なヒンジ等によって、ベルト固定板１１に仮固定できる構成としてもよい。さらにまた、各係合手段２７，３５の係合を解除するための操作手段３６をベルト部材２１の他端に設けたベルト側係合手段２７側の爪部２８を変形させるよう、例えばベルト側係合手段２７側に設けてもよい。上述の各実施形態における各構成は、必要により、その一部を省略したり、他の構成と入れ換えて、異なる構成の組み合わせのもとで実施されてもよい。
【図面の簡単な説明】
【００３６】
【図１】本発明の第１の実施形態に係る開き防止具の概略斜視図。
【図２】図１のＡ−Ａ概略断面図。
【図３】図１の開き防止具の概略分解斜視図。
【図４】図１の開き防止具の係合を解除して仮固定した状態を示す図。
【図５】本発明の第２の実施形態に係る開き防止具の概略斜視図。
【図６】図１の開き防止具の概略分解斜視図。
【符号の説明】
【００３７】
１０，１０−１・・・開き防止具、１１・・・第１の固定板（ベルト固定板）、１２・・・固定板本体、１３・・・固定側支持・被支持手段、１５・・・固定板側固定手段（軸部）、２１・・・ベルト部材、２２・・・ベルト側固定手段、２３・・・一端、２４・・・他端、２７・・・ベルト側係合手段、２９・・・ベルト側支持・被支持手段、３０・・・第２の固定板（係合固定板）、３４・・・係合解除部材、３５・・・固定側係合手段、３６・・・操作部
【図１】
0004817433.tif 000002
【図２】
0004817433.tif 000003
【図３】
0004817433.tif 000004
【図４】
0004817433.tif 000005
【図５】
0004817433.tif 000006
【図６】
0004817433.tif 000007